(57)【特許請求の範囲】
【請求項１】
板状ブロックの片面に複数個の突起部を偶数列千鳥状に並列させて配設すると共にそれら突起部の間に一列毎に貫通孔を上記突起部の間に交互に配設し、しかも上記板状ブロックを１段毎に平面的に１８０°回転させて多段に段重ねしボルト等で連結一体化したことを特徴とした水辺護岸用コンクリートブロック合成体。
【請求項２】
板状ブロックの両面に複数個の突起部を１列おきに並列させて配設すると共にそれら突起部の間に貫通孔を上記突起部間に交互的に配設し、しかも上記板状ブロックを１段毎に平面的に１８０°回転させて多段に段重ねしボルト等の連結手段で連結一体化すると、上段ブロック下面側の突起部と下段ブロック上面側の突起部とが重なり合わずしかも貫通孔を塞がないように配置されていることで、ブロック間における間隔と貫通孔による上下方向の連通構成が形成されることを特徴とした水辺護岸用コンクリートブロック合成体。
【請求項３】
少なくとも片面が平坦とされたコンクリートブロックを底面または頂面の何れか一方または双方に併用したことを特徴とした請求項２に記載の水辺護岸用コンクリートブロック合成体。
【請求項４】
突起部が断面的に錐形台状をなし、しかも各突起部の頂端が同一平面上に位置する平坦面状として形成され、貫通孔が断面テーパ状あるいは両面側から夫々断面テーパ上とし中間部がくびれた縮小状態として形成されたコンクリートブロックを用いることを特徴とした請求項１〜３の何れか１つに記載の水辺護岸用コンクリートブロック合成体。
【請求項５】
板状ブロックの突起部、貫通孔を含めた表面に擬石、擬岩模様を形成し、無色またはカラーコンクリートによる着色、若しくは表面部における浸透着色を施したコンクリートブロックを用いることを特徴とした請求項１〜４の何れか１つに記載の水辺護岸用コンクリートブロック合成体。
【請求項６】
請求項１〜５の何れか１つに記載のコンクリートブロック合成体におけるコンクリートブロックの対向側面に連繋部材を取付け、前記コンクリートブロック合成体を平面的に連接せしめ、上記連繋部において相互に連繋して法面の護岸や床面の根固め、水制工の何れか一方または双方として形成したことを特徴とした水辺コンクリートブロック護岸。
【請求項７】
請求項１〜５の何れか１つに記載のコンクリートブロック合成体の底部部分を貫通孔のないものとすると共に法面勾配に合わせて平面的に連接ししめ、前記コンクリートブロック合成体の底部における突起部の間の空隙部分にコンクリートを打設して護岸部を形成したことを特徴とした水辺コンクリートブロック護岸。
【発明の詳細な説明】
【０００１】
【産業上の利用分野】
本発明は水辺護岸用コンクリートブロック合成体およびコンクリートブロック護岸に係り、河川や湖沼などの水辺岸部における法面を保護し、水の浄化を図ると共に魚介類、水生昆虫、甲殻類などの棲息、産卵に適した護岸を形成するためのブロックおよび該護岸を提供しようとするものである。
【０００２】
【従来の技術】
河川や湖沼などの水辺岸部を保護するためにコンクリートブロックを用いて護岸壁を形成することについては従来から種々に提案され、また実施されているが、河川などにおける法面全般がコンクリートで被覆されたままでは自然の生態系を崩し、自然環境や景観が損われることから問題となり、今日においては生活環境としての調和ないし豊かな自然環境や景観の保護が論ぜられている。
【０００３】
即ち、このような対処方法として、かごマット法や栗石柳枝工などがあるが、また特開平１−２４９１９０号公報、特開平１−３１５３９１号公報においては河川の汚水を浄化すべくコンクリートブロックの中に汚水浄化用接触材を収納して設定することが提案されている。
【０００４】
更に実開平５−８７０２０号公報においては、方形枠状基板の内側周縁に沿って板厚の1/2 程度の厚さの方形枠状壁体を立設し、同壁体の４辺に台形状の切込み部を左右対称形に欠截するとともに、４隅の壁体部に連結用貫通孔を設けて構成した上下一双のブロック単位体を前記４隅の壁面部を介して連結し、前記した上下一双のブロック単体間に自然石充填空間を形成することが発表されている。
【０００５】
なお、実開昭６１−２０１６１号公報においては、下面周縁に等間隔に３個の脚片を設け、その脚片と対称の上面に凹部を設けた下部板体と、下面周縁に３個の脚片とその上面の対称位置に別の凹部を設け、脚片間に縦壁部を形成した上部板体の数個を上記した各凹部と脚片とを嵌合し、これらにボルトを挿通してナット締めする漁礁が提案されている。
【０００６】
【発明が解決しようとする課題】
前記したかごマット工法や栗石柳枝工は工数が多く掛かると共に充填材である玉石等の入手が困難となっており、また水辺の環境条件に必ずしも適合しない不利があり、特開平１−２４９１９０号や特開平１−３１５３９１号公報のものでは汚水を浄化し得るとしても、水辺護岸のためには別途の手段を講ずることが必要であり、また魚介、水生昆虫、甲殻類などの棲息、産卵に適した護岸となし得ない。
【０００７】
また実開平５−８７０２０号および実開昭６１−２０１６１号あるいは実開昭６２−１６９９６３号のものは水底に沈設して漁礁などとするのに適するとしても水辺の護岸目的に利用することができず、水底から地上に到る傾斜面において水底における生態系から地上における植生に亘る夫々の条件によく適合した護岸構造を得ることができない。
【０００８】
【課題を解決するための手段】
本発明は上記したような従来技術における課題を解決することについて検討を重ねて創案されたものであって、天然石材による礫間接触酸化法と同等の水に対する浄化機能と魚巣としての空隙部の形成を、突起部および貫通孔を配設したブロックを用いて達成可能としたものであって、河川や湖沼における水辺の法面や河床に配設することにより水中生物の棲息条件に適切に即応した護岸や根固め、水制工の施工を簡易且つ的確に得しめることに成功したものであって、以下の如くである。
【０００９】
（１）  板状ブロックの片面に複数個の突起部を偶数列千鳥状に並列させて配設すると共にそれら突起部の間一列毎にに貫通孔を上記突起部の間に交互に配設し、しかも上記板状ブロックを１段毎に平面的に１８０°回転させて多段に段重ねしボルト等で連結一体化したことを特徴とした水辺護岸用コンクリートブロック合成体。
【００１０】
（２）  板状ブロックの両面に複数個の突起部を１列おきに並列させて配設すると共にそれら突起部の間に貫通孔を上記突起部間に交互的に配設し、しかも上記板状ブロックを１段毎に平面的に１８０°回転させて多段に段重ねしボルト等の連結手段で連結一体化すると、上段ブロック下面側の突起部と下段ブロック上面側の突起部とが重なり合わずしかも貫通孔を塞がないように配置されていることで、ブロック間における間隔と貫通孔による上下方向の連通構成が形成されることを特徴とした水辺護岸用コンクリートブロック合成体。
【００１１】
（３）  少なくとも片面が平坦とされたコンクリートブロックを底面または頂面の何れか一方または双方に併用したことを特徴とした前記（２）項に記載の水辺護岸用コンクリートブロック合成体。
【００１２】
（４）  突起部が断面的に錐形台状をなし、しかも各突起部の頂端が同一平面上に位置する平坦面状として形成され、貫通孔が断面テーパ状あるいは両面側から夫々断面テーパ状とし中間部がくびれた縮小状態として形成されたコンクリートブロックを用いることを特徴とした前記（１）〜（３）項の何れか１つに記載の水辺護岸用コンクリートブロック合成体。
【００１３】
（５）  板状ブロックの突起部、貫通孔を含めた表面に擬石、擬岩模様を形成し、無色またはカラーコンクリートによる着色、若しくは表面部における浸透着色を施したコンクリートブロックを用いることを特徴とした前記（１）〜（４）項の何れか１つに記載の水辺護岸用コンクリートブロック合成体。
【００１４】
（６）  前記（１）〜（５）項の何れか１つに記載のコンクリートブロック合成体におけるコンクリートブロックの対向側面に連繋部材を取付け、前記コンクリートブロック合成体を平面的に連接せしめ、上記連繋部において相互に連繋して法面の護岸や床面の根固め、水制工の何れか一方または双方として形成したことを特徴とした水辺コンクリートブロック護岸。
【００１５】
（７）  前記（１）〜（５）項の何れか１つに記載のコンクリートブロック合成体の底部部分を貫通孔のないものとすると共に法面勾配に合わせて平面的に連接せしめ、前記コンクリートブロック合成体の底部における突起部の間の空隙部分にコンクリートを打設して護岸部を形成したことを特徴とした水辺コンクリートブロック護岸。
【００１６】
【作用】
板状ブロックの片面に複数個の突起部を偶数列千鳥状に並列させて配設すると共にそれら突起部の間に一列毎に貫通孔を上記突起部の間に交互に配設したことにより、この板状ブロックを各段毎に平面的に１８０°回転させて積み重ねることで各板状ブロック間に突起部および貫通孔による空間を確保し、しかもそれら板状ブロックの突起部、貫通孔は前後、上下、左右の何れの方向においても交互に組み合わされているのでその空間は上下、左右および前後方向の何れにおいても曲線状で相互且つ複雑に連通されたものとなる。
【００１７】
前記したような板状ブロックを所要の高さに積層し、上下方向に挿通されたボルト等で連結一体化したブロック合成体を法面や床面の勾配に即応させて平面的に連接せしめ、対向側面に設けられた連繋部材を連結するとにより板状ブロック相互が水平方向において連繋施工され、水辺岸壁に対して任意に連繋された法面の護岸や床面の根固め、水制工を形成することができる。
【００１８】
板状ブロックの両面に複数個の突起部を１列おきに並列させて配設すると共にそれら突起部の間に貫通孔を上記突起部間に交互的に配設し、しかも上記板状ブロックを１段毎に平面的に１８０°回転させて多段に段重ねしボルト等の連結手段で連結一体化すると、上段ブロック下面側の突起部と下段ブロック上面側の突起部とが重なり合わずしかも貫通孔を塞がないように配置されていることで、ブロック間における間隔と貫通孔による上下方向の連通構成を形成する。なお、この場合においては、突起部相互を接合させた組付状態を形成し、あるいは突起部の配設数を半減した状態で適切な組付菅家を形成する。
【００１９】
突起部が断面的に錐形、台状をなし、しかも各突起部の頂端が同一平面上に位置する平坦面状として形成されたことによりこの板状ブロックを積層した場合に千鳥状に配列された前記突起部によって各ブロック間に所定の間隔を安定に保持し、しかもそれらブロック間間隔部が貫通孔によって上下方向において千鳥状に蛇行状態で連通した構成とされる。
【００２０】
貫通孔が片面または両面において断面テーパ状として形成されたことによってコンクリートによる平板状部体の成形を容易とし、しかも平板状部体の強度を適切に確保する。
【００２１】
突起部や貫通孔の大きさや形状を不揃いに形成することにより連通する通路や空間部分の大きさおよび形状をランダム化するので、魚種の好みに即応させた使い分けができる。また表面を擬石模様の如きとすることによりその効果を更に高めることができる。
【００２２】
前記したようなコンクリートブロックを垂直的に多段積層すると共に平面的に連接せしめ、連繋部において相互に連繋したことによってブロック相互を有効に連結した緩勾配の護岸壁や床面の根固め、水制工を安定に形成する。また該ブロック合成体の下部部分を貫通孔のないコンクリートブロックとして構成する法面勾配に即応させて連接し、下部の突起部にコンクリートを打設して急勾配法面用護岸として好ましい護岸構造とする。
【００２３】
上記したような何れかの構成からなるコンクリートブロックでも多段積層すると共に法面又は床面に沿って連接せしめ、相互に連繋して護岸部を形成することにより空隙部における屈曲した水の流動によって水中のＳＳ分やＢＯＤを除去し水が浄化されると共に、魚介類、水生昆虫、甲殻類などの住居、避難場所となり、または付着藻類や土砂の堆積による水草などの生育で餌場ともなる。また該ブロック合成体を岸から直角状に突堤状として河床に形成することにより、水流を遮断してワンド状の澱み部が形成され、上流側では土砂を堆積して瀬を、下流側には澱み部を形成して淵が形成され、それらの何れによっても魚類等の生育に適した環境を提供する。
【００２４】
【実施例】
上記したような本発明について実施態様を添附図面に示すものについて説明すると、図１には本発明による水辺護岸用コンクリートブロック合成体を形成するブロック１の代表的な１例を示したもので、板状ブロック１はその片面に３個宛の突起部１１、１１が偶数列として６列、千鳥状に配設されると共にそれら突起部１１、１１・・・の間に貫通孔１２、１２を突起部１１の１列毎に３列、３個宛配設し、また魚類などが上下の板状部の間を通り易いように各貫通孔１２を大き目に形成してある。しかもこのような板状ブロック１に対し平面的にブロック相互を連結するための連繋部１３を配設したものであって、図示のものでは該連繋部１３は板状ブロック１の角部において垂直的および平面的の何れにもリングなどで連結できる係止環を突設したものである。なお垂直的な連結についてはボルトなどによる孔状の垂直連結部３０が板状ブロック１の端部において４個配設されている。
【００２５】
図２には本発明によるコンクリートブロックの別の例が示されており、板状ブロック１の角部に連繋部１３が設けられていること自体は図１のものと同じであるが突起部１１として比較的大型のものと、比較的小型の突起部１１ａとが併用され、貫通孔１２としても大型のものと、それより小型の貫通孔１２ａとが併用されている。
【００２６】
更に図３には図１や図２に示したものの２枚分として形成され、省人省力化用製品として長尺化された矩形状のコンクリートブロック１ａとした場合が示され突起部１１は円形のものと共に方形の突起部１１１をも用い、また貫通孔１２も円形のものと方形貫通孔１２１が併用されている。またこれらの突起部および貫通孔は適宜にその大きさや方向などを変えたものとして併用配設してよいことは明かである。
【００２７】
図４は図１に示したものの平面図で、図５には本発明によって垂直方向の連繋を別の連繋杆１４で行い、コンクリートブロック合成体５を得るようにしたブロック１が示されている。即ち板状ブロック１の４隅部の突起部１１に穿孔４と孔状の挿通連結部３０を形成したものとし、このようなブロック１を図５に示すように各段毎に水平的に１８０°回転させ多段に積層し挿通連結部３０に連繋杆１４を挿入して締着子１５で連結固定するようにしたもので、連繋杆１４は防錆処理したもの、あるいは防錆効果の高い材質のものが用いられる。即ち、前記した図１〜３に示したような連繋部１３のものがリング部材などで適宜に変位し得るような連繋であるのに対し、この図５のような連繋は固定的に形成されて合成体５を形成する。
【００２８】
前述のような本発明コンクリートブロックによるコンクリートブロック護岸形成状態の１つは図６に示されている如くであって、図５に示したような手法で一定厚状態に積層して組合わされたブロック群としてのコンクリートブロック合成体５は水底部に設けられた基礎部体６より緩傾斜を採った低水位岸部３に連続設定されることにより、このコンクリートブロック合成体５中を通水することにより水中の浮遊物質がブロック表面に沈澱したり生物膜の粘性によって吸着し、表面に生育する微生物が汚濁物質を吸着分解して除去するもので水の浄化が図られ、またブロック間の大小の空隙部が前後、上下、左右方向にランダムに連動されており、小魚、水生昆虫、甲殻類などの棲息域、成魚の避難場所となると共に付着藻類や水草２９などの生育による餌場を形成し、魚巣として利用し得るようにしたものである。
【００２９】
図７と図８には図６に示したような斜面部の護岸壁形成に併せて河川などの水流方向と直交する方向に突堤状のブロック壁７をも形成して水制工として使用した場合を示すもので、図８に示すように突堤状ブロック壁７の上流側においては土砂の堆積で浅い瀬を形成して餌場となり、一方その下流側においては乱流ないし澱み状態を形成し、一種のワンド状の淵となって大きな魚の住処や避難場所を提供すると共に、浄化機能、魚巣機能と相俟って水制機構としても利用することができる。なおこのようなブロック壁７を河川床などの全面に使用することにより根固め機構としても利用できる。河川床に使用する場合は流水などによる流失を防止するため一定以上の重量を必要とし、図７、図８のものは図６のものより一層大きなブロック合成体として構成される。
【００３０】
図９〜図１１には上記したような連繋部１３、１３間における連結構造が示され、１例として図６に示した法面の護岸として構成されるときは図９に示すように板状ブロック１、１、１、１の四隅を突き合わせた状態に配置したものにおいて対向したフック状鉄筋による連繋部１３、１３間に図１０のような倒Ｕ形係止部材である接合鉄筋１７を股設連結して後板状ブロック１面までモルタル２８の充填などで適宜に法面に固定化する。またこの連結は積層されたブロック合成体５の最下段のものでよいことは明らかであり、更に金具によるボルト接合などこれに類した他の工法によっても一体的に構成できる。
【００３１】
上記のような図１０のものに対し、図１１のような連繋は図７、図８の平坦状の床面における根固め、水制機能を持った場合の手法を示すものである。即ちこの場合は河川床の変動に追随させるためにシャックル等のリング状連結材１８を用いて可曲状に連結し施工定着する。このような連結状態は地盤状況に即応して積層されたブロックにおける適宜の箇所で行ってよいことは自明である。
【００３２】
なお図８に示したような突堤状ブロック壁７の上面には別に図１２に示すように水面上まで板状ブロックを積層し、その上に鉄平石などの天然石材や擬石などの化粧材３８を施した板材などを載置設定することにより桟橋状となり、釣人３９などの突堤となり、また防護柵を取付けることで水上の歩道橋となる。またこの突堤状ブロック壁７部分に達する陸地部分は図６のブロックを階段状に形成したブロック群８を設けることにより利用者の進入を容易とし、更にそのブロック空隙部の客土することによって表面を緑化することもできる。
【００３３】
図１３〜図１５には本発明による板状ブロックの更に別の構成である板状ブロック２が示されている。即ちこの本発明ブロックによるときは板状ブロックの両面に片側３個の突起部１１を１列おきに並列させて配設すると共にそれらの突起部の間に３個の貫通孔１２を交互に配設したものであるが、この貫通孔１２はブロック１の表裏から夫々図１５に示すようにテーパ状部３２、３２を連続して形成された板状ブロックで、従って貫通孔１２は図１５に示したように中間でくびれ部２０の形成された断面鼓型とされたものである。即ちこのような貫通孔１２は複雑な断面構造であっても型による成形が容易であり、しかも通過する水に対して乱流効果を与え、浄化作用などを有効に得しめることは前記図１〜３のブロックと同様である。
【００３４】
図１６と図１７には、この図１３〜１５に示した板状ブロック２を各段毎に平面的に１８０°回転させて多段（２段）に積層し、しかもその上下に片面における突起部を省略した前述の板状ブロック２ａを積層した組合わせたブロック合成体１０を形成する場合が示されており、垂直方向における連繋手段は連繋杆１４が用いられている。即ち、この場合においてもブロック間においてその上下、左右おび前後方向への通水は図１〜図３に示したブロックによるものと同様に得られることは明かであって、上述したそれらブロックによるものと同様な作用が得られる。
【００３５】
図１８から図２２は本発明による異形板状ブロックが示されており、図１８のものは六角形状として組み合わせ使用するもので、また図１９のものは図１に示したものの連繋部１３を側辺部中間に切欠き部９を形成して該連繋部１３を設けた場合であるが、板状ブロック、突起部１１、貫通孔１２の各面を擬石模様状として自然石の感覚を形成したものであり、これらの擬石模様部分はカラーコンクリートや着色剤を用いた着色により自然石と同じ感覚となすこともできす。然して、図２０のものは角部を各辺長さの４分の１程度切欠した切欠コーナ部２０を形成し、しかもその各辺に切欠き部９を形成して連繋部１３が設けられた十字型形状の場合を示してあり、図２１のものは図２０に示した板状ブロック２１を組合わせて使用するときの上下、左右における端面部材であって、コーナーを受入れる切欠き部９が形成されており、同様に図２２のものはコーナー用として使用されるもので板状ブロック１の１つの肩部に切欠コーナ部２０を形成し、それぞれ連繋部１３を設けた場合が示されている。突起部１１や貫通孔１２の配設は何れも上記同様である。
【００３６】
図２３には本発明において用いる更に別の板状コンクリートブロック３１が示され、また図２４にはこのような図２３の板状コンクリートブロック３１と併用してコンクリートブロック合成体３５とされるもう１つのコンクリートブロック３１ａが示されている。即ちこれらの板状コンクリートブロック３１、３１ａにおいては上述したような図１などに示した板状コンクリートブロック１などのコーナー部の如きにおける連繋部１３を有しておらず、しかも適切な連繋関係を図２５に示すように形成するものである。
【００３７】
つまり、その仔細を説明すると、図２３のものは突起部１１のみが配設された板状コンクリートブロック３１であって、４隅に近い突起部１１においては孔状の挿通連結部３０が形成され、斯うした孔状挿通連結部によってブロック３１と３１ａが連結されることによりコンクリートブロック合成体３５を形成するものであり、このようなコンクリートブロック合成体３５は図２５に明らかなように急勾配を採った水辺岸部に対する護岸壁とされることにより一体化される。
【００３８】
即ち図２３に示したような板状コンクリートブロック３１を２段以上設定し、その上に図２４に示した板状コンクリートブロック３１ａを１段以上積層して形成したもので、このように組み合わされて形成される合成体３５の底部空隙部分には適宜コンクリート３４を打設して一体化を図ることにより急勾配の護岸を安定に構成する。要するに底部板状コンクリートブロック３１の空隙部分に配筋することにより一層強固な護岸壁として形成されることは言うまでもない。
【００３９】
表面側における板状コンクリートブロック３１ａの突起部空隙部分は河川水の進入を上記したような屈曲水流の形成により浄化機能を有することは明らかであるが、また上述した場合と同様に魚巣機能をも充分に発揮することができる。なお水面上の空中域においてはＶ形ないしＵ形断面のブロック２５をその後面部２５ｂが平面土層の傾斜面上に位置せしめ、前面部２５ａにおいては多段状の開口部２６を形成して設定し、植物３３などを植えて護岸壁面の好ましい緑化を図るようにした状態が示され、植物３３の繁茂により水際に日陰を形成し、魚巣機能を更に向上することができる。
【００４０】
【発明の効果】
以上説明したような本発明によるときは河川や湖沼などの水辺岸部における法面を有効に保護し、魚類や水中昆虫類などの棲息や産卵に適し、また水流と酸素との有効な接触による浄化や制水機能などを備えたコンクリートブロック護岸を簡易且つ的確に形成し得るものであるから工業的にその効果の大きい発明である。
【図面の簡単な説明】
【図１】本発明による護岸用コンクリートブロックの１例を示した斜面図である。
【図２】本発明によるもう１つのコンクリートブロックの斜面図である。
【図３】更に別の本発明のコンクリートブロックの斜面図である。
【図４】図１に示した本発明コンクリートブロックの平面図である。
【図５】図４に示したものの積層したコンクリートブロックの連結状態を部分的に示した断面図である。
【図６】図４、５に示したものによる低水位部に形成した護岸の１例を示す断面的説明図である。
【図７】低水位部の水際に即応させ段数を変えて形成した法面の護岸ないし河川床での根固めあるいは魚巣水制ブロックの断面的説明図である。
【図８】図７に示したものの平面図である。
【図９】ブロック間連繋部の平面図である。
【図１０】図９に示した連繋部の断面図である。
【図１１】図１０とは別の連繋部についての側面図である。
【図１２】本発明ブロックを用いて桟橋状突堤を形成した側断面図である。
【図１３】両面に突起を配設した本発明ブロックの別の構成を示した平面図である。
【図１４】図１３に示したものの側面図である。
【図１５】その断面図である。
【図１６】図１３〜１５に示したものと片面突起ブロックとを用いたブロック集合体の側面図である。
【図１７】図１６に示したものの断面図である。
【図１８】六角形として形成された本発明ブロックの斜面図である。
【図１９】表面模様に擬石、擬岩を配したものの斜面図である。
【図２０】十字形として形成された本発明ブロックの斜面図である。
【図２１】図２０のブロックを組合わせ使用したときの端部に使用する本発明ブロックの斜面図である。
【図２２】図２０のブロックの組合せ使用時におけるコーナー部に使用する本発明ブロックの斜面図である。
【図２３】図１に示したブロックにおける貫通孔、連繋部を用いないようにした本発明ブロックの斜面図である。
【図２４】図１に示したものの連繋部のみを用いない本発明ブロックの斜面図である。
【図２５】図２３と図２４に示したブロックによる急勾配法面に適用した本発明護岸壁の断面図である。
【符号の説明】
１  片面に突起部を有する板状ブロック
１ａ  長尺化された板状ブロック
２  両面に突起部を有する板状ブロック
２ａ  片面のみの突起部とした板状ブロック
３  低水位岸部
４  穿孔
５  コンクリートブロック合成体
６  基礎部体
７  突堤状ブロック壁
８  階段状ブロック群
９  切欠き部
１０  コンクリートブロック合成体（２と２ａとによる）
１１  円形の突起部
１１ａ  小型突起部
１２  円形の貫通孔
１２ａ  小型貫通孔
１３  連繋部
１４  連繋杆
１５  締着子
１７  倒Ｕ形係止部材である接合鉄筋
１８  シャックル等のリング状連結材
２０  切欠コーナ部
２１  異形板状コンクリートブロック
２５  Ｖ形断面ブロック
２５ａ  その前面部
２５ｂ  その後面部
２６  開口部
２８  モルタル
２９  水草
３０  孔状の挿通連結部
３１  本発明におけるもう１つの板状コンクリートブロック
３１ａ  コンクリートブロック３１と併用される板状コンクリートブロック
３２  テーパ状部（貫通孔１２の）
３３  植物
３４  打設コンクリート
３５  コンクリートブロック合成体
３８  化粧板（鉄平石などによる）
１１１  方形の突起部
１２１  方形の貫通孔
【図１】
0003700138.tif 000002
【図２】
0003700138.tif 000003
【図３】
0003700138.tif 000004
【図４】
0003700138.tif 000005
【図５】
0003700138.tif 000006
【図６】
0003700138.tif 000007
【図７】
0003700138.tif 000008
【図８】
0003700138.tif 000009
【図９】
0003700138.tif 000010
【図１０】
0003700138.tif 000011
【図１１】
0003700138.tif 000012
【図１２】
0003700138.tif 000013
【図１３】
0003700138.tif 000014
【図１４】
0003700138.tif 000015
【図１５】
0003700138.tif 000016
【図１６】
0003700138.tif 000017
【図１７】
0003700138.tif 000018
【図１８】
0003700138.tif 000019
【図１９】
0003700138.tif 000020
【図２０】
0003700138.tif 000021
【図２１】
0003700138.tif 000022
【図２２】
0003700138.tif 000023
【図２３】
0003700138.tif 000024
【図２４】
0003700138.tif 000025
【図２５】
0003700138.tif 000026